(57)【要約】【課題】取扱説明等のような収納された商品の情報を印刷した表示フィルムを設けた商品包装袋を提供する。【解決手段】両側縁にサイドシール部１ｃ、１ｃを備えた表裏フィルム２、３により商品収納室４を形成し、該商品収納室４の一端部に底部５を形成すると共に、他端部に係脱自在な係合テープ１３と被係合テープ１２を備えた開閉口６を形成している。収納商品の情報を印刷した表示フィルム１８を前記表裏フィルム２、３の少なくとも一方に重合している。表示フィルム１８は、少なくとも前記サイドシール部１ｃ、１ｃに対応して前記重合面の相互に印刷された溶着阻止剤２１を介して剥離自在となるようにサイドシール部１ｃ、１ｃで表裏フィルム２、３に弱着されている。【選択図】図３
2009062066.tif 000002
【特許請求の範囲】
【請求項１】
両側縁にサイドシール部(1c,1c)を備えた表裏フィルム(2)(3)により商品収納室(4)を形成し、該商品収納室の一端部に底部(5)を形成すると共に、他端部に係脱自在な係合テープ(13)と被係合テープ(12)を備えた開閉口(6A)を形成して成る包装袋において、
収納商品の情報を印刷した表示フィルム(18)を前記表裏フィルムの少なくとも一方に重合しており、
前記表示フィルム(18)は、少なくとも前記サイドシール部(1c,1c)に対応して前記重合面の相互に印刷された溶着阻止剤(21)を介して剥離自在となるように、表裏フィルムに対して前記サイドシール部(1c,1c)で弱着されて成ることを特徴とする商品包装袋。
【請求項２】
係合テープ(13)及び被係合テープ(12)の一方のテープを表裏フィルム(2)(3)の一方のフィルムに溶着し、他方のテープと他方のフィルムの間に商品挿入口(6B)を形成しており、
前記商品挿入口(6B)を介して商品収納室(4)に商品を装填した後に、他方のテープと他方のフィルムを相互に溶着(14)することにより商品挿入口(6B)を閉鎖するように構成して成ることを特徴とする商品自動包装用の商品包装袋。
【請求項３】
表裏フィルム(2)(3)により両側縁にサイドシール部(1c,1c)を備えた商品収納室(4)を形成し、商品収納室に底部(5)を形成すると共に、底部の反対側に位置して係脱自在な係合テープ(13)と被係合テープ(12)を備えた開閉口(6A)を形成して成る包装袋において、
前記表フィルム(2)を開閉口(6A)から延長することにより延長フィルム(7)を延設すると共に該延長フィルムにより開閉口(6A)を覆い、該延長フィルムから更に収納商品の情報を印刷した表示フィルム(18)を延設すると共に該表示フィルムを裏フィルム(3)に重合しており、
前記延長フィルム(7)は、両端がサイドシール部(1c,1c)まで延びるスリット(17)を形成しており、
前記表示フィルム(18)は、少なくとも前記サイドシール部(1c,1c)に対応して前記重合面の相互に印刷された溶着阻止剤(21)を介して剥離自在となるように、裏フィルム(3)に対して前記サイドシール部(1c,1c)で弱着されて成ることを特徴とする商品包装袋。
【請求項４】
前記表示フィルム(18)は、裏フィルム(3)に重合された第１表示フィルム(19)と、該第１表示フィルムの延長端から更に延長され且つ折返されることにより該第１表示フィルムに重合された第２表示フィルム(20)を備えており、
第１表示フィルム(19)と第２表示フィルム(20)は、少なくとも前記サイドシール部(1c,1c)に対応して前記重合面の相互に印刷された第２の溶着阻止剤(22)を介して剥離自在となるように、前記サイドシール部(1c,1c)で弱着されて成ることを特徴とする請求項３に記載の商品包装袋。
【請求項５】
前記裏フィルム(3)と第１表示フィルム(19)の重合面の相互に設けられる溶着阻止剤(21)が裏フィルム(3)に印刷され、前記第１表示フィルム(19)と第２表示フィルム(20)の重合面の相互に設けられる第２の溶着阻止剤(22)が第１表示フィルム(19)及び第２表示フィルム(20)の少なくとも一方に印刷されており、
表裏フィルム並びに第１表示フィルム及び第２表示フィルムを展開した状態の１枚のフィルムの表裏面の一方の同じ面に、前記溶着阻止剤(21)と第２の溶着阻止剤(22)が印刷されて成ることを特徴とする請求項４に記載の商品包装袋。
【請求項６】
表裏フィルム(2)(3)により両側縁にサイドシール部(1c,1c)を備えた商品収納室(4)を形成し、商品収納室に底部(5)を形成すると共に、底部の反対側に位置して係脱自在な係合テープ(13)と被係合テープ(12)を備えた開閉口(6A)を形成して成る包装袋において、
前記裏フィルム(3)を開閉口(6A)から延長することにより収納商品の情報を印刷した表示フィルム(18)を延設すると共に該表示フィルムを折返すことにより裏フィルム(3)に重合しており、
前記表示フィルム(18)は、少なくとも前記サイドシール部(1c,1c)に対応して前記重合面の相互に印刷された溶着阻止剤(21)を介して剥離自在となるように、裏フィルム(3)に対して前記サイドシール部(1c,1c)で弱着されて成ることを特徴とする商品包装袋。
【請求項７】
前記表示フィルム(18)を裏フィルム(3)から分離可能とするように該フィルム部分に両端がサイドシール部(1c,1c)まで延びる分離線(30)を形成して成ることを特徴とする請求項６に記載の商品包装袋。
【請求項８】
表裏フィルム(2)(3)及び表示フィルム(18)を展開した状態の１枚のフィルムの表裏面の一方の同じ面に、収納商品の情報(24)と溶着阻止剤(21)とが印刷されて成ることを特徴とする請求項１ないし７の何れかに記載の商品包装袋。
【請求項９】
表示フィルム(18)の表面に印刷された収納商品の情報(24)は、該フィルムの裏面から透視することにより読み取れるように鏡対称に表された文字(25)を含んで印刷された裏面読取用情報(26)と、該フィルムを透視不能とするように前記裏面読取用情報の上にベタ塗り状に印刷された透視不能層(27)と、該フィルムの表面から読み取れるように表された文字(28)を含んで印刷された表面読取用情報(29)とから成ることを特徴とする請求項１ないし８の何れかに記載の商品包装袋。
【発明の詳細な説明】
【技術分野】
【０００１】
本発明は、商品包装袋、特に、商品自動包装用の袋において、取扱説明等のような該袋に収納された商品の情報を印刷した表示フィルムを設けた商品包装袋に関する。
【背景技術】
【０００２】
本出願人は、商品包装袋に商品を自動包装するための装置を提案しており（特許文献１及び２）、また、チャック付きの開閉口を備えた商品包装袋も提案している（特許文献３及び４）。
【０００３】
そこで、ユーザにより一度に消費される商品ではなく、継続的に使用されるような商品をチャック付きの商品包装袋に自動包装することにより市場に提供すれば、商品包装袋により商品を店頭で陳列展示するだけでなく、これを購入したユーザが商品を継続的に使用する際に該商品包装袋を商品の保管袋として利用できるので便利となる。
【０００４】
【特許文献１】特開平８−１３３２３６号公報
【特許文献２】特開２０００−２３８７０５号公報
【特許文献３】特開平１０−１７５６４７号公報
【特許文献４】特開２００１−３２８６４７号公報
【発明の開示】
【発明が解決しようとする課題】
【０００５】
ところで、継続的に使用される商品の場合、販売に際して取扱説明書等の商品情報を表示したシートを添設することが好ましく、商品の種類によっては義務付けられている。例えば、商品が薬剤や化粧品の場合、その成分表示や、使用方法等を表示することが必要となる。
【０００６】
この点に関して、商品包装袋に包装される商品の情報は、袋体を構成するフィルムの表面に印刷可能であるが、そのスペースに限界があり、情報表示の文字が小さくなると好ましくない。
【０００７】
従って、このような商品情報は、袋体とは別体の紙等のシートに印刷し、商品の自動包装と同時に袋体に装填せざるを得ないのが現状である。
【０００８】
しかしながら、このようなシートは、大きなものになると、商品と共に包装袋に自動装填する前に、予め折り畳まなければならないので、そのための装置ないし作業が必要になるという問題がある。しかも、１つの商品包装袋に商品とシートの２物品を同時に包装することは容易でなく、自動包装装置に困難な機能を付加することが必要となる。更に、そのような機能を自動包装装置に付加することが可能になったとしても、トラブルの原因が増え、自動包装の歩留りを低下するおそれがある。
【０００９】
本発明は、上記に鑑み、商品包装袋がフィルムにより製袋されることに着目し、製袋のために必要とされる大きさを越えるフィルムを使用することにより、製袋された商品包装袋に表示フィルムを延設することが可能となるので、該表示フィルムに商品情報を印刷することにより上記問題を解決できることを知見した。
【００１０】
しかしながら、現在の製袋技術では、長手方向に移送される帯状フィルムを所定形態に折曲すると共に重ね合わせ、溶断によるサイドシールで個々の袋体を提供する方法であるため、サイドシール時に前記表示フィルムが袋体と一体的に溶着されてしまい、商品を購入したユーザが情報を読み取れないという問題を提起する。
【００１１】
また、帯状フィルムは、種々の印刷を施された後に製袋に供されるが、袋の一般的な印刷部分と、商品情報表示の印刷部分と、その他の必要とされる印刷部分が、帯状フィルムの表裏両面にわたる場合には、現在の印刷技術では、印刷機により、表面側を印刷した後、次いで裏面側を印刷するという２工程が必要になるという問題がある。そこで、これらの印刷部分の全てを帯状フィルムの表面側にだけ印刷し、裏面側には印刷を要しないように構成すべき課題がある。
【００１２】
この点に関連して、表示フィルムに表示される商品情報は、表示フィルムの表裏両面から読み取れるようにすれば、情報量を飛躍的に増加することが可能になるが、前述のように両面印刷は好ましくないので、片面印刷でありながら表裏両面から読み取れる情報を印刷する技術を開発すべき課題がある。
【００１３】
更に、チャック付きの商品包装袋に商品を自動装填する場合、自動機によりチャックを開閉することは困難なため、これを解決すべき課題がある。
【課題を解決するための手段】
【００１４】
そこで、本発明が第一の手段として構成したところは、両側縁にサイドシール部を備えた表裏フィルムにより商品収納室を形成し、該商品収納室の一端部に底部を形成すると共に、他端部に係脱自在な係合テープと被係合テープを備えた開閉口を形成して成る包装袋において、収納商品の情報を印刷した表示フィルムを前記表裏フィルムの少なくとも一方に重合しており、前記表示フィルムは、少なくとも前記サイドシール部に対応して前記重合面の相互に印刷された溶着阻止剤を介して剥離自在となるように、表裏フィルムに対して前記サイドシール部で弱着されて成る点にある。
【００１５】
前記第一の手段により構成された商品包装袋において、チャック手段を構成する係合テープ及び被係合テープの一方のテープが表裏フィルムの一方のフィルムに溶着され、他方のテープと他方のフィルムの間には商品挿入口が形成されている。このため、自動包装装置により商品を自動装填する際、商品は前記商品挿入口から商品収納室に装填される。そして、自動包装を終えた後、他方のテープと他方のフィルムを相互に溶着することにより商品挿入口を閉鎖し、その状態で市場に供給される。
【００１６】
また、本発明が第二の手段として構成したところは、表裏フィルムにより両側縁にサイドシール部を備えた商品収納室を形成し、商品収納室に底部を形成すると共に、底部の反対側に位置して係脱自在な係合テープと被係合テープを備えた開閉口を形成して成る包装袋において、前記表フィルムを開閉口から延長することにより延長フィルムを延設すると共に該延長フィルムにより開閉口を覆い、該延長フィルムから更に収納商品の情報を印刷した表示フィルムを延設すると共に該表示フィルムを裏フィルムに重合しており、前記延長フィルムは、両端がサイドシール部まで延びるスリットを形成しており、前記表示フィルムは、少なくとも前記サイドシール部に対応して前記重合面の相互に印刷された溶着阻止剤を介して剥離自在となるように、裏フィルムに対して前記サイドシール部で弱着されて成る点にある。
【００１７】
前記第二の手段により構成された商品包装袋において、前記表示フィルムは、裏フィルムに重合された第１表示フィルムと、該第１表示フィルムの延長端から更に延長され且つ折返されることにより該第１表示フィルムに重合された第２表示フィルムを備えており、第１表示フィルムと第２表示フィルムは、少なくとも前記サイドシール部に対応して前記重合面の相互に印刷された第２の溶着阻止剤を介して剥離自在となるように、前記サイドシール部で弱着されている。
【００１８】
この際、前記裏フィルムと第１表示フィルムの重合面の相互に設けられる溶着阻止剤が裏フィルムに印刷され、前記第１表示フィルムと第２表示フィルムの重合面の相互に設けられる第２の溶着阻止剤が第１表示フィルム及び第２表示フィルムの少なくとも一方に印刷されており、表裏フィルム並びに第１表示フィルム及び第２表示フィルムを展開した状態の１枚のフィルムの表裏面の一方の同じ面に、前記溶着阻止剤と第２の溶着阻止剤が印刷されている。
【００１９】
更に、本発明が第三の手段として構成したところは、表裏フィルムにより両側縁にサイドシール部を備えた商品収納室を形成し、商品収納室に底部を形成すると共に、底部の反対側に位置して係脱自在な係合テープと被係合テープを備えた開閉口を形成して成る包装袋において、前記裏フィルムを開閉口から延長することにより収納商品の情報を印刷した表示フィルムを延設すると共に該表示フィルムを折返すことにより裏フィルムに重合しており、前記表示フィルムは、少なくとも前記サイドシール部に対応して前記重合面の相互に印刷された溶着阻止剤を介して剥離自在となるように、裏フィルムに対して前記サイドシール部で弱着されて成る点にある。
【００２０】
前記第三の手段により構成された商品包装袋において、前記表示フィルムを裏フィルムから分離可能とするように、該フィルム部分に両端がサイドシール部まで延びる分離線を形成している。
【００２１】
前記第一、第二、第三の手段により構成された商品包装袋の何れにおいても、表裏フィルム及び表示フィルムを展開した状態の１枚のフィルムの表裏面の一方の同じ面に、収納商品の情報と溶着阻止剤とが印刷されている。
【００２２】
そして、表示フィルムの表面に印刷された収納商品の情報は、該フィルムの裏面から透視することにより読み取れるように鏡対称に表された文字を含んで印刷された裏面読取用情報と、該フィルムを透視不能とするように前記裏面読取用情報の上にベタ塗り状に印刷された透視不能層と、該フィルムの表面から読み取れるように表された文字を含んで印刷された表面読取用情報とから構成されている。
【発明の効果】
【００２３】
請求項１に記載の本発明によれば、袋体１は、両側縁にサイドシール部１ｃ、１ｃを備えた表裏フィルム２、３により商品収納室４を形成し、該商品収納室４の一端部に底部５を形成すると共に、他端部に係脱自在な係合テープ１３と被係合テープ１２を備えた開閉口６Ａを形成しており、所謂チャック付きの商品包装袋を構成するので、商品を自動包装することにより商品を店頭で陳列展示するだけでなく、これを購入したユーザが商品を継続的に使用する際に該商品包装袋を商品の保管袋として利用することができる。
【００２４】
そこで、袋体１は、収納商品の情報を印刷した表示フィルム１８を前記表裏フィルム２、３の少なくとも一方に重合しており、該表示フィルム１８を少なくとも前記サイドシール部に対応して前記重合面の相互に印刷された溶着阻止剤２１を介して剥離自在となるようにサイドシール部１ｃ、１ｃで弱着した構成であるから、表示フィルム１８に収納商品の取扱説明等の情報を印刷しておくことにより、ユーザに詳細な商品情報を提供することができる。
【００２５】
特に、表示フィルム１８は、溶着阻止剤２１により、サイドシール部１ｃ、１ｃに位置して表裏フィルム２、３の一方に剥離自在に弱着されているので、ユーザが例えば表示フィルム１８の一部分を指先で摘み引き剥がすと、表示フィルム１８はサイドシール部１ｃ、１ｃの部分で簡単に剥離され、商品情報を容易に読み取ることができる。この際、表示フィルム１８は、袋体１にフラップ状態で連結された構成でも良く、或いは、スリット１７又はミシン目３０のような分離線により分離自在な構成としても良い。
【００２６】
そして、請求項２に記載のように、チャック手段１１を構成する係合テープ１３及び被係合テープ１２の一方のテープを表裏フィルム２、３の一方のフィルムに溶着し、他方のテープと他方のフィルムの間に商品挿入口６Ｂを形成した構成とすれば、自動包装装置により商品を自動装填する際、商品は前記商品挿入口６Ｂから商品収納室４に装填される。従って、商品装填のためにチャック手段１１を開閉する必要はないので、容易に自動化できる。しかも、商品が粒状や粉状のものとされる場合、仮にチャック手段１１を開けた状態で装填すると、粒や粉がチャック手段１１の係脱部分に付着して閉じ合わせることができなくなるのに対して、商品の自動装填中、チャック手段１１は閉じたままの状態とされているので、そのような問題を生じることはない。そして、自動包装を終えた後は、他方のテープと他方のフィルムを相互に溶着することにより商品挿入口６Ｂを閉鎖し、その状態で市場に供給すれば良い。尚、商品を購入したユーザは、チャック手段１１の係脱により商品開閉口６を開閉することにより、袋体１に対する商品の出し入れを行うことができる。
【００２７】
請求項３に記載の本発明によれば、上述のようなチャック付きの商品包装袋において、表フィルム２から延長フィルム７を延設すると共に該延長フィルムから更に表示フィルム１８を延設し、該表示フィルム１８を裏フィルム３に重合すると共に、相互の重合面に印刷された溶着阻止剤２１によりサイドシール部１ｃ、１ｃで弱着した構成であるから、延長フィルム７によりヘッダー部１０を形成することができ、該ヘッダー部１０から連なるように表示フィルム１８を設けることができる。
【００２８】
この際、延長フィルム７は、開閉口６Ａを覆うが、スリット１７を形成しているので、これにより商品の自動包装が可能になり、しかも、商品を購入したユーザが表示フィルム１８を引き剥がしたとき、該表示フィルム１８をスリット１７により袋体１から分離独立させることができるので、該表示フィルム１８に印刷された商品情報が読みやすいものとなる。
【００２９】
そして、延長フィルム７を介して表示フィルム１８を表フィルム２から延設した構成であるから、請求項４に記載のように、表示フィルム１８を、裏フィルム３に重合された第１表示フィルム１９と、該第１表示フィルム１９の延長端から更に延長され且つ折返されることにより該第１表示フィルム１９に重合された第２表示フィルム２０により構成することができるので、大きな表示フィルム１８を提供することが可能になる。この際、第１表示フィルム１９と第２表示フィルム２０は、第２の溶着阻止剤２２により、サイドシール部１ｃ、１ｃに位置して剥離自在に弱着されているので、表示フィルム１８を袋体１から分離した後、第１表示フィルム１９と第２表示フィルム２０を展開することが可能となる。
【００３０】
しかも、請求項５に記載のように、裏フィルム３と第１表示フィルム１９の重合面の相互に設けられる溶着阻止剤２１を裏フィルム３に印刷し、第１表示フィルム１９と第２表示フィルム２０の重合面の相互に設けられる第２の溶着阻止剤２２を第１表示フィルム１９及び第２表示フィルム２０の少なくとも一方に印刷する構成とすれば、表裏フィルム２、３並びに第１表示フィルム１９及び第２表示フィルム２０を展開した状態の１枚の帯状フィルムの表裏面の一方の同じ面に、前記溶着阻止剤２１と第２の溶着阻止剤２２が印刷されることになる。従って、この印刷面に袋体の一般表示と、表示フィルム１８の商品情報を印刷することにより、全ての印刷部分を帯状フィルムの同じ片面に印刷することが可能となるので、両面印刷を必要としない利点がある。
【００３１】
請求項６に記載の本発明によれば、上述のようなチャック付きの商品包装袋において、裏フィルム３を開閉口６Ａから延長することにより表示フィルム１８を延設すると共に該表示フィルム１８を折返すことにより裏フィルム３に重合した構成であるから、請求項３に記載の袋体のようなスリット１７を設けなくても、チャック手段１１の係脱だけで、商品収納室４に商品を出し入れ可能とするように開閉口６Ａを開閉することができる。この場合でも、表示フィルム１８は、裏フィルム３に対して溶着阻止剤２１を介して剥離自在となるようにサイドシール部１ｃ、１ｃで弱着されているので、表示フィルム１８を簡単に引き剥がすことにより商品情報を容易に読み取ることができる。尚、表示フィルム１８は、裏フィルム３に対してフラップ状態で連結された構成としても良いが、請求項７に記載のように、ミシン目等の分離線３０により分離自在に構成することができる。
【００３２】
そして、上述のように構成された商品包装袋は、請求項８に記載のように、表裏フィルム２、３及び表示フィルム１８を展開した状態の１枚の帯状フィルムの表裏面の一方の同じ面に、収納商品の情報と溶着阻止剤２１、２２を印刷した構成とされるので、全ての印刷部分を帯状フィルムの同じ片面に印刷することが可能となり、両面印刷を必要としない利点がある。
【００３３】
更に、上述のように構成された商品包装袋は、請求項９に記載のように、表示フィルム１８の表面に印刷された収納商品の情報を、該フィルムの裏面から透視することにより読み取れるように鏡対称に表された文字２５を含んで印刷された裏面読取用情報２６と、該フィルムを透視不能とするように前記裏面読取用情報２６の上にベタ塗り状に印刷された透視不能層２７と、該フィルムの表面から読み取れるように表された文字２８を含んで印刷された表面読取用情報２９とにより構成することにより、表示フィルム１８の裏面側Ｒからは、該フィルムを透視することにより、ベースとしての透視不能層２７の上に表示された裏面読取用情報２６を読み取ることができ、表示フィルム１８の表面側Ｆからは、ベースとしての透視不能層２７の上に表示された表面読取用情報２９を読み取ることができるので、１枚の表示フィルム１８に片面印刷するだけで、その片面の２倍となる両面から読み取れる大量の情報を表示できる。
【発明を実施するための最良の形態】
【００３４】
以下図面に基づいて本発明の好ましい実施形態を詳述する。
【００３５】
＜第１実施形態＞
図１ないし図３は、本発明の第１実施形態に係る商品包装袋を示しており、図４ないし図７はその製造方法を示している。
【００３６】
（商品包装袋の構成）
図１は、製袋後の商品包装袋であるが、商品を自動装填する前の状態の商品包装袋を示している。袋体１は、後述するように1枚の帯状フィルムを折曲した状態でサイドシールすることにより、両側縁のサイドシール部１ｃ、１ｃ（図６参照）の間において表フィルム２と裏フィルム３の間に商品収納室４を形成している。図例の場合、表裏フィルム２、３を折曲することにより底部５を備え、底部５の反対側（図例では上側）に位置して商品収納室４の開閉口６Ａを備えている。尚、底部５にＶ形に谷折状となるガゼットを形成しても良い。
【００３７】
図示実施形態の場合、表フィルム２は、上方に延びる延長フィルム７を延設し、該延長フィルム７を厚手の合成紙又は合成樹脂シート等の可撓性シート８を挟んで折返し抱持した状態で表裏から溶着９ａ、９ｂすることによりヘッダー部１０を形成している。尚、一方の溶着９ａだけを行い、他方の溶着９ｂは省略しても良い。
【００３８】
開閉口６Ａには、係脱自在なチャック手段１１が設けられており、該チャック手段１１は、商品を自動装填した後に表フィルム２に溶着される被係合テープ１２と、裏フィルム３に溶着された係合テープ１３を雄雌手段により係脱自在に係合している。この際、テープ幅方向に関して、被係合テープ１２は、係合テープ１３の幅を越える延長縁部１２ａを備えており、該被係合テープ１２と表フィルム２の間に商品挿入口６Ｂを形成しており、係合テープ１３は、幅方向の側縁部を裏フィルム３に溶着１５、１５されている。裏フィルム３の延長端１６は、可撓性シート８の下端部に重合されている。
【００３９】
延長フィルム７は、可撓性シート８を抱持すると共に開閉口６Ａを覆っており、前記溶着９ｂされた個所の下方で開閉口６Ａの上方に位置して両端がサイドシール部まで延びるスリット１７を形成している。従って、スリット１７と商品挿入口６Ｂと商品収納室４が相互に連通され、これにより商品の自動装填を可能にする。また、後述するように商品装填の後に被係合テープ１２を表フィルム２に溶着した状態では、チャック手段１１の係合を解くことにより開閉口６Ａを開口させたとき、商品収納室４は、スリット１７を介して外部に開放される。
【００４０】
前記延長フィルム７から更に表示フィルム１８が延設されており、表フィルム２に重合された第１表示フィルム１９と、該第１表示フィルム１９の延長端から更に延長され且つ折返されることにより前記第１フィルム１９に重合された第２表示フィルム２０を構成している。
【００４１】
裏フィルム３と第１表示フィルム１９は、少なくともサイドシール部１ｃ、１ｃに対応して重合面の相互に印刷された溶着阻止剤２１を介して剥離自在となるように、相互にサイドシール部１ｃ、１ｃで弱着されている。
【００４２】
第２表示フィルム２０と第１表示フィルム１９は、少なくともサイドシール部１ｃ、１ｃに対応して重合面の相互に印刷された第２の溶着阻止剤２２を介して剥離自在となるように、相互にサイドシール部１ｃ、１ｃで弱着されている。
【００４３】
後述するように、サイドシール方式の自動製袋方法は、帯状フィルムを折曲した状態で長手方向に間欠移送させ、移送方向に交差する溶断刃でフィルムを溶断することによりサイドシールされた袋体を製袋する方法である。従って、重ね合わせられたフィルム部分が全てサイドシール部１ｃ、１ｃで溶断されると共にサンドイッチ状に溶着されることになる。本発明の溶着阻止剤２１、２２は、フィルムの溶断を可能とするが、重合されたフィルム相互の溶着を阻止するための手段であり、印刷インク等を該フィルムの重合面に印刷することにより相互の溶着を阻止する。ところで、このような溶着阻止剤２１、２２をサイドシール部１ｃ、１ｃに位置して帯状に印刷した場合でも、フィルムを溶断したとき、溶断面では上下に重合されたフィルムの溶融樹脂が部分的に溶着することにより弱く固着される。つまり、指先等で摘んで引き剥がすと簡単に剥離するが、剥離前は弱く固着されているので、このような状態を本発明では「弱着」と称している。
【００４４】
前記表示フィルム１８は、袋体１により包装される商品の取扱説明書等の商品情報や、その他の情報を印刷しており、後述するように、裏面読取用情報と表面読取用情報を印刷している。
【００４５】
（商品の自動包装とその後の袋体）
図１に基づき説明した袋体１は、図２に示すように、ヘッダー部１０を介して吊持した状態で、スリット１７と共に商品挿入口６Ｂを開放させることにより、商品収納室４に商品Ｍが装填される。即ち、チャック手段１１は、係合テープ１３と被係合テープ１２を係合することにより開閉口６Ａを閉じたままの状態とされている。尚、商品の自動包装用装置は、本出願人が先に提案した装置（特許文献１及び２）やその改良装置を利用することができる。
【００４６】
そこで、商品Ｍを自動装填した後、図３（Ａ）に示すように、被係合テープ１２を表フィルム２に溶着１４することにより、商品挿入口６Ｂを閉鎖し、その状態で該商品の販売に供される。この溶着１４の際、被係合テープ１２は、延長縁部１２ａを上方に延設しているので、装填された商品Ｍにより表フィルム２が膨らんでいる場合でも、容易に溶着１４を行うことができる。
【００４７】
商品を購入したユーザは、チャック手段１１を離脱させることによりスリット１７と共に開閉口６Ａを開放させ、商品収納室４に対して商品Ｍを出し入れすることができ、チャック手段１１を係合させることにより開閉口６Ａを閉鎖し、商品Ｍを袋体１により保管することができる。
【００４８】
尚、商品Ｍを装填した後、図３（Ａ）に鎖線で示すように、ヘッダー部１０を含んで開閉口６Ａよりも上方に位置する部分を袋体１から分離可能とするようにミシン目等の分離線Ｓを形成しても良く、その場合、分離線Ｓを分離した状態で、商品を包装した袋体１が市場に供給され、商品の販売に供される。
【００４９】
（表示フィルムの機能）
前述した商品の自動包装や、自動包装後に袋体１を店頭に陳列展示するとき、表示フィルム１８は、袋体１のサイドシール部１ｃ、１ｃにおいて前述のような「弱着」の状態で袋体１に一体化されている。従って、表示フィルム１８が袋体１から垂れ下がったり、ぶらぶら揺動したりすることはない。
【００５０】
ところで、商品を購入したユーザは、図３（Ａ）（Ｂ）に示すように、表示フィルム１８を袋体１から分離することにより、該表示フィルム１８に印刷された商品情報を読み取ることができる。即ち、上述のように、表示フィルム１８は、溶着阻止剤２１により、サイドシール部１ｃ、１ｃに位置して裏フィルム３に剥離自在に弱着されているので、ユーザがスリット１７から下側の表示フィルム１８を指先で摘み、裏フィルム３から引き剥がすと、表示フィルム１８は簡単に分離独立する。
【００５１】
引き剥がされた表示フィルム１８は、第１表示フィルム１９と第２表示フィルム２０を折返し状態で重合しているが、サイドシール部１ｃ、１ｃに位置して剥離自在に弱着されているので、ユーザが両者を引き剥がすことにより、第１表示フィルム１９と第２表示フィルム２０は簡単に展開する。従って、この状態で表示フィルム１８に印刷された商品情報を読み取ることができる。
【００５２】
（製袋方法の構成）
図４（Ａ）は、商品包装袋を製袋するための１枚の帯状フィルムを展開した状態を示しており、図示左側をフィルムの表側とし、図示右側をフィルムの裏側とする。フィルムは、所定幅の表フィルム構成部２ａの両側に裏フィルム構成部３ａと延長フィルム構成部７ａを延設し、延長フィルム構成部７ａから更に、第１表示フィルム構成部１９ａと第２表示フィルム構成部２０ａを備えた表示フィルム構成部１８ａを延設している。
【００５３】
前記帯状フィルムは、後述するように折曲された状態でサイドシールにより個々の袋体を製袋するものであり、溶断刃によるサイドシール位置Ｃ−Ｃのピッチに相当する１個宛の袋体に対応して種々の印刷が施されており、この際、全ての印刷部分が該フィルムの表側に形成されている。その１例を図５に示すと、前記ピッチに相当する１個宛の袋構成部Ｕに関して、表フィルム構成部２ａと裏フィルム構成部３ａと延長フィルム構成部７ａの全体又は一部には、該フィルムの表側に、一般表示２３が印刷されている。この一般表示２３は、包装される商品の名称、商標、製造者の住所、社名等のような包装体に通常表示される文字や図柄等とされている。また、第１表示フィルム構成部１９ａと第２表示フィルム構成部２０ａを含む表示フィルム構成部１８ａの全体又は一部（好ましくは全体）には、該フィルムの表側に、上述した取扱説明等の詳細な商品情報２４が印刷されている。そして、裏フィルム構成部３ａには、サイドシール位置Ｃ−Ｃに対応して、該フィルムの表側に、上述の溶着阻止剤２１が印刷されている。また、第１表示フィルム構成部１９ａと第２表示フィルム構成部２０ａの少なくとも一方（図例では第２表示フィルム構成部２０ａ）には、サイドシール位置Ｃ−Ｃに対応して、該フィルムの表側に、上述の第２の溶着阻止剤２２が印刷されている。
【００５４】
このように、一般表示２３、商品情報２４、溶着阻止剤２１、２２の全てがフィルムの表側に印刷されているので、フィルムの表面側だけに印刷を施せば良く、裏面側には印刷を行う必要がない。
【００５５】
前述の溶着阻止剤２１、２２は、少なくともサイドシール位置Ｃ−Ｃに対応して印刷する必要があるが、その位置を越えて広幅等に印刷しても良い。また、前述の一般表示２３や商品情報２４の印刷インクをサイドシール位置Ｃ−Ｃまで延長することにより溶着阻止剤２１、２２を形成しても良い。
【００５６】
表示フィルム構成部１８ａに印刷された商品情報２４は、該フィルムの表側から印刷したものでありながら、裏側と表側の両側から読取可能な情報を表示している。その印刷方法と印刷されたインクの積層構造を図７に基づいて説明すると、図７（Ａ）に示すように、表示フィルム構成部１８ａの表側の表面には、先ず、該フィルムの裏面から透視することにより読み取れるように鏡対称に表された文字２５を含む裏面読取用情報２６が印刷される（第１印刷工程）。従って、この裏面読取用情報２６は、図７（Ｂ）に示すように、該フィルムの裏面から透視したときに初めて正常に読み取ることができる。次いで、図７（Ｃ）に示すように、該フィルムを透視不能とするように前記裏面読取用情報２６の上にベタ塗り状に透視不能層２７が印刷され（第２印刷工程）、その後、該透視不能層２７の上にフィルムの表面から読み取れるように表された文字２８を含む表面読取用情報２９が印刷される（第３印刷工程）。このような第１印刷工程、第２印刷工程、第３印刷工程は、全てフィルムの表側に施されるので、各印刷工程を行う印刷手段にフィルムを通過させることにより、積層状に印刷される。従って、片面印刷で足り、両面印刷を要しない。そして、印刷後は、図７（Ｄ）に示すように、フィルムの裏面側Ｒからは、該フィルムを透視することにより、ベースとしての透視不能層２７の上に表示された裏面読取用情報２６を読み取ることができ、フィルムの表面側Ｆからは、ベースとしての透視不能層２７の上に表示された表面読取用情報２９を読み取ることができるので、１枚の表示フィルム１８に片面印刷するだけで、その片面の２倍となる両面から読み取れる大量の情報を表示できる。
【００５７】
上述のように印刷を施された帯状フィルムは、図４（Ａ）及び図５に示すように、展開状態で長手方向に移送されながら、裏フィルム構成部３ａの所定個所にチャック手段１１の係合テープ１３が溶着１５、１５され、延長フィルム構成部７ａの所定個所に可撓性シート８が溶着９ａされる。チャック手段１１は、係合テープ１３と被係合テープ１２を係合した状態で係合テープ１３を裏フィルム構成部３ａの長手方向に沿って配置され、該裏フィルム構成部３ａの長手方向に沿って溶着１５、１５される。同様に、可撓性シート８も長手方向に延びる帯状ないしテープ状のものとして延長フィルム構成部７ａの長手方向に沿って配置され、長手方向に沿って溶着９ａされる。
【００５８】
その後、図４（Ｂ）に示すように、第２表示フィルム構成部２０ａが該フィルムの表側に向けて折返され、第１表示フィルム構成部１９ａの表側に重合される。上述のようにフィルムの表側に第２の溶着阻止剤２２が印刷されているので、折返し重合された第１表示フィルム構成部１９ａと第２表示フィルム構成部２０ａの重合面のうちサイドシール部に対応する位置に第２の溶着阻止剤２２が介在される。
【００５９】
また、表フィルム構成部２ａから裏フィルム構成部３ａが裏側に向けて折返し重合されることにより、チャック手段１１の被係合テープ１２を表フィルム構成部２ａに対面させられる。尚、チャック手段１１を越えて延びる裏フィルム構成部３ａの延長端１６は、可撓性シート８の下端部に重合される。
【００６０】
その後、図４（Ｃ）に示すように、折返し重合された表示フィルム構成部１８ａと共に延長フィルム構成部７ａが可撓性シート８を抱持するように裏側に折返され、第１表示フィルム構成部１９ａを裏フィルム構成部３ａに重合した状態で、延長フィルム構成部７ａが可撓性シート８に溶着９ｂされ、図４（Ｄ）に示すように、延長フィルム構成部７ａにスリット１７が形成される。上述のように、裏フィルム構成部３ａには溶着阻止剤２１が印刷されているので、裏フィルム構成部３ａと第１表示フィルム構成部１９ａの重合面のうちサイドシール部に対応する位置に溶着阻止剤２１が介在される。
【００６１】
このように帯状フィルムを折曲することにより形成された帯状の袋構成体１ａは、図６に示すように帯長手方向に間欠移送されつつサイドシール位置Ｃ−Ｃに対応して溶断し溶着されることにより、順次、両側縁にサイドシール部１ｃ、１ｃを備えた上述の袋体１を形成する。
【００６２】
このようなサイドシールにより形成された袋体１は、サイドシール部１ｃ、１ｃにおいて、ヘッダー部１０を構成する可撓性シート８とこれを抱持する延長フィルム７がサンドイッチ状に溶着され、商品収納室４を構成する表裏フィルム２、３とその間のチャック手段１１がサンドイッチ状に溶着される。ところが、裏フィルム３と第１表示フィルム１９は、溶着阻止剤２１により溶着が阻止され、剥離可能に弱着されたものとなる。また、第１表示フィルム１９と第２表示フィルム２０は、第２の溶着阻止剤２２により溶着が阻止され、剥離可能に弱着されたものとなる。
【００６３】
袋体１は、チャック手段１１の被係合テープ１２と表フィルム２の間に商品挿入口６Ｂを形成しており、該商品挿入口６Ｂを介して商品収納室４に商品Ｍを自動装填された後、被係合テープ１２と表フィルム２を相互に溶着１４することにより商品挿入口６Ｂを閉止される。この点は上述した通りである。
＜第２実施形態＞
図８は、本発明の第２実施形態に係る商品包装袋とその製造方法を示している。
【００６４】
上述の第１実施形態は、表示フィルム１８を展開自在に折返し重合した第１表示フィルム１９と第２表示フィルム２０により構成したが、第２実施形態は、表示フィルム１８を折返部のないフラップ状のものとした点で相違し、その他の構成は、第１実施形態と同様である。
【００６５】
図８（Ａ）は、商品包装袋を製袋するための１枚の帯状フィルムを展開した状態を示しており、図示左側をフィルムの表側とし、図示右側をフィルムの裏側とする。帯状フィルムは、所定幅の表フィルム構成部２ａの両側に裏フィルム構成部３ａと延長フィルム構成部７ａを延設し、延長フィルム構成部７ａから更に表示フィルム構成部１８ａを延設している。
【００６６】
第１実施形態と同様に、一般表示や商品情報のような全ての印刷部分が該フィルムの表側に形成されており、裏フィルム構成部３ａには、サイドシール位置に対応して、該フィルムの表側に、溶着阻止剤２１が印刷されている。
【００６７】
そこで、帯状フィルムは、図８（Ａ）に示すように、展開状態で長手方向に移送されながら、裏フィルム構成部３ａの所定個所に長手方向に延びるチャック手段１１が溶着１５、１５され、延長フィルム構成部７ａの所定個所に長手方向に延びる可撓性シート８が溶着９ａされる。チャック手段１１は、係合テープ１３と被係合テープ１２を係合した状態で係合テープ１３を裏フィルム構成部３ａの長手方向に沿って配置され、相互に長手方向に沿って溶着１５、１５される。同様に、可撓性シート８も長手方向に延びる帯状ないしテープ状のものとして延長フィルム構成部７ａの長手方向に沿って配置され、長手方向に沿って溶着９ａされる。
【００６８】
その後、図８（Ｂ）に示すように、表フィルム構成部２ａから裏フィルム構成部３ａが裏側に向けて折返し重合され、チャック手段１１の被係合テープ１２が表フィルム構成部２ａに対面させられる。尚、チャック手段１１を越えて延びる裏フィルム構成部３ａの延長端１６は、可撓性シート８の下端部に重合される。
【００６９】
その後、図８（Ｃ）に示すように、表示フィルム構成部１８ａと共に延長フィルム構成部７ａが可撓性シート８を抱持するように裏側に折返され、表示フィルム構成部１８ａを裏フィルム構成部３ａに重合した状態で、延長フィルム構成部７ａが可撓性シート８に溶着９ｂされ、図８（Ｄ）に示すように、延長フィルム構成部７ａにスリット１７が形成される。上述のように、裏フィルム構成部３ａには溶着阻止剤２１が印刷されているので、裏フィルム構成部３ａと表示フィルム構成部１８ａの重合面のうちサイドシール部に対応する位置に溶着阻止剤２１が介在される。
【００７０】
このように帯状フィルムを折曲することにより形成された帯状の袋構成体１ａは、帯長手方向に間欠移送されつつサイドシール位置に対応して溶断し溶着されることにより、順次、両側縁にサイドシール部１ｃ、１ｃを備えた袋体１を形成する。
【００７１】
このようなサイドシールにより形成された袋体１は、サイドシール部１ｃ、１ｃにおいて、ヘッダー部１０を構成する可撓性シート８とこれを抱持する延長フィルム７がサンドイッチ状に溶着され、商品収納室４を構成する表裏フィルム２、３とその間のチャック手段１１がサンドイッチ状に溶着される。ところが、裏フィルム３と表示フィルム１８は、溶着阻止剤２１により溶着が阻止され、剥離可能に弱着されたものとなる。
【００７２】
この第２実施形態によれば、第１実施形態の場合と同様に、袋体１は、チャック手段１１の被係合テープ１２と表フィルム２の間に商品挿入口６Ｂを形成しており、該商品挿入口６Ｂを介して商品収納室４に商品Ｍを自動装填された後、被係合テープ１２と表フィルム２を相互に溶着１４することにより商品挿入口６Ｂを閉止され、その状態で該商品の販売に供される。
【００７３】
ところで、商品を購入したユーザは、表示フィルム１８を袋体１から分離することにより、該表示フィルム１８に印刷された商品情報を読み取ることができる。即ち、上述のように、表示フィルム１８は、溶着阻止剤２１により、サイドシール部１ｃ、１ｃに位置して裏フィルム３に剥離自在に弱着されているので、ユーザが例えば表示フィルム１８の一部分を指先で摘み、裏フィルム３から引き剥がすと、表示フィルム１８は簡単に分離独立し、ユーザに商品情報を提供する。尚、表示フィルム１８に、裏面読取用情報と表面読取用情報を表示できることは、第１実施形態について説明した構成と同様である。
＜第３実施形態＞
図９は、本発明の第３実施形態に係る商品包装袋とその製造方法を示している。
【００７４】
図９（Ａ）は、商品包装袋を製袋するための１枚の帯状フィルムを展開した状態を示しており、図示左側をフィルムの表側とし、図示右側をフィルムの裏側とする。帯状フィルムは、所定幅の表フィルム構成部２ａの両側に裏フィルム構成部３ａと延長フィルム構成部７ａを延設し、裏フィルム構成部３ａから更に表示フィルム構成部１８ａを延設しており、裏フィルム構成部３ａと表示フィルム構成部１８ａの間を分離可能とするミシン目等の分離線３０が帯長手方向に形成されている。
【００７５】
第１実施形態の場合と同様に、一般表示や商品情報のような全ての印刷部分が該フィルムの表側に形成されており、裏フィルム構成部３ａと表示フィルム構成部１８ａの少なくとも一方には、サイドシール位置に対応して、該フィルムの表側に、溶着阻止剤２１が印刷されている。
【００７６】
そこで、帯状フィルムは、図９（Ａ）に示すように、展開状態で長手方向に移送されながら、裏フィルム構成部３ａの所定個所に長手方向に延びるチャック手段１１が溶着１５、１５される。チャック手段１１は、係合テープ１３と被係合テープ１２を係合した状態で長手方向に沿って配置され、係合テープ１３と被係合テープ１２の一方を裏フィルム構成部３ａの長手方向に沿って溶着１５、１５される。図例の場合、係合テープ１３を裏フィルム構成部３ａに溶着１５、１５しているが、反対に、被係合テープ１２の延長縁部１２ａを裏フィルム構成部３ａに溶着しても良い。
【００７７】
可撓性シート８も長手方向に延びる帯状ないしテープ状のものとして延長フィルム構成部７ａの長手方向に沿って配置されており、図９（Ｂ）に示すように、可撓性シート８の上端で延長フィルム構成部７ａを折返すことにより該可撓性シート８を表裏側から抱持した状態で、可撓性シート８の直下に位置して表裏の延長フィルム構成部７ａを相互に溶着９する。尚、このような溶着９に代えて、第１実施形態について説明したような表裏側からの溶着９ａ、９ｂを実施しても良い。
【００７８】
図９（Ｂ）に示すように、表フィルム構成部２ａから裏フィルム構成部３ａが裏側に向けて折返し重合され、チャック手段１１の被係合テープ１２の延長縁部１２ａが表フィルム構成部２ａに対面させられる。
【００７９】
前記裏フィルム構成部３ａの折返しの前又は折返しの後に、図９（Ｃ）に示すように、裏フィルム構成部３ａから表示フィルム構成部１８ａを裏側に折返し重合される。この際、裏フィルム構成部３ａと表示フィルム構成部１８ａの重合面のうちサイドシール部に対応する位置に溶着阻止剤２１が介在される。
【００８０】
このように帯状フィルムを折曲することにより形成された帯状の袋構成体１ａは、帯長手方向に間欠移送されつつサイドシール位置に対応して溶断し溶着されることにより、順次、両側縁にサイドシール部１ｃ、１ｃを備えた袋体１を形成する。
【００８１】
サイドシールにより形成された袋体１は、サイドシール部１ｃ、１ｃにおいて、ヘッダー部１０を構成する可撓性シート８とこれを抱持する延長フィルム７がサンドイッチ状に溶着され、商品収納室４を構成する表裏フィルム２、３とその間のチャック手段１１がサンドイッチ状に溶着される。ところが、裏フィルム３と表示フィルム１８は、溶着阻止剤２１により溶着が阻止され、剥離可能に弱着されたものとなる。
【００８２】
この第３実施形態によれば、袋体１は、チャック手段１１の被係合テープ１２と表フィルム２の間に商品挿入口６Ｂを形成しており、該商品挿入口６Ｂを介して商品収納室４に商品Ｍを自動装填された後、被係合テープ１２と表フィルム２を相互に溶着１４することにより商品挿入口６Ｂを閉止され、その状態で該商品の販売に供される。
【００８３】
そこで、商品を購入したユーザは、チャック手段１１の直上が開放されているので、チャック手段１１を係脱することにより開閉口６Ａを開閉し、商品の出し入れを行うことができる。つまり、上述した第１実施形態のようなスリット１７を形成する必要はない。
【００８４】
ところで、商品を購入したユーザは、ミシン目等の分離線３０を介して表示フィルム１８を袋体１から分離することにより、該表示フィルム１８に印刷された商品情報を読み取ることができる。即ち、上述のように、表示フィルム１８は、溶着阻止剤２１により、サイドシール部１ｃ、１ｃに位置して裏フィルム３に剥離自在に弱着されているので、ユーザが例えば表示フィルム１８の一部分を指先で摘み、裏フィルム３から引き剥がすと、サイドシール部１ｃ、１ｃの部分で剥離される。そこで、分離線３０を分断すれば、表示フィルム１８が簡単に分離独立し、ユーザに商品情報を提供する。尚、表示フィルム１８に、裏面読取用情報と表面読取用情報を表示できることは、第１実施形態について説明した構成と同様である。
＜第４実施形態＞
図１０は、本発明の第４実施形態に係る商品包装袋を示している。
【００８５】
第４実施形態は、上述の第３実施形態と基本的に同様であり、袋体１は、表裏フィルム２、３により両側縁にサイドシール部１ｃ、１ｃを備えた商品収納室４を形成し、商品収納室４に底部５を形成すると共に、底部５の反対側に位置して係脱自在な係合テープ１３と被係合テープ１２を備えた開閉口６Ａを形成しており、前記裏フィルム３を開閉口６Ａから延長することにより表示フィルム１８を延設すると共に該表示フィルム１８を折返すことにより裏フィルム３に重合しており、裏フィルム３と表示フィルム１８の重合面の相互に少なくともサイドシール部１ｃ、１ｃに対応して溶着阻止剤２１を印刷しており、これにより、サイドシール部１ｃ、１ｃに位置して表示フィルム１８を裏フィルム３に剥離自在となるように弱着すると共に、裏フィルム３と表示フィルム１８の間にミシン目等の分離線３０を設けている。そして、表フィルム２とチャック手段１１の間に商品挿入口６Ｂが形成されている。これらの点は上述の第３実施形態と同様である。
【００８６】
第４実施形態において、袋体１は、前記表示フィルム１８の上に更に延長表示フィルム１８ｂを重合しており、表示フィルム１８と延長表示フィルム１８ｂは、相互の重合面のうち少なくともサイドシール部１ｃ、１ｃに対応する位置に第２の溶着阻止剤２２を印刷している。図例の場合、延長表示フィルム１８ｂは、袋体１を構成するフィルムとは別体のフィルムにより構成され、該延長表示フィルム１８ｂに第２の溶着阻止剤２２を印刷しており、袋体１の製袋中に、延長表示フィルム１８ｂを裏フィルム３に重合すると共に底部５の近傍に溶着３１した状態でサイドシールすることにより、１枚宛の袋体１が形成される。
【００８７】
そこで、袋体１に包装された商品を購入したユーザは、第３実施形態の場合と同様に、ミシン目等の分離線３０を介して表示フィルム１８を袋体１から分離することにより、該表示フィルム１８に印刷された商品情報を読み取ることができる。ところで、引き剥がされた表示フィルム１８は、延長表示フィルム１８ｂを重合しているが、サイドシール部１ｃ、１ｃに位置して剥離自在に弱着されているので、ユーザが両者を引き剥がすことにより、表示フィルム１８と延長表示フィルム１８ｂを簡単に展開することができる。表示フィルム１８と延長表示フィルム１８ｂの何れにも裏面読取用情報と表面読取用情報を表示できることは、第１実施形態について説明した構成と同様である。
【図面の簡単な説明】
【００８８】
【図１】本発明の第１実施形態に係る商品包装袋を示しており、商品を装填する前の状態を示す縦断面図である。
【図２】商品包装袋に商品を自動装填する例を示す縦断面図である。
【図３】（Ａ）は商品を包装した袋体を示す縦断面図、（Ｂ）は袋体から分離した表示フィルムを示す縦断面図である。
【図４】本発明の第１実施形態に係る商品包装袋の製袋方法を示しており、（Ａ）は展開した１枚の帯状フィルムを示す縦断面図、（Ｂ）は表フィルム構成部から裏フィルム構成部を折返すと共に第２表示フィルム構成部から第１表示フィルム構成部を折返した状態を示す縦断面図、（Ｃ）は延長フィルム構成部を折返した状態を示す縦断面図、（Ｄ）はサイドシールにより製袋された袋体を示す縦断面図である。
【図５】製袋方法に関して、図４（Ａ）に対応する帯状フィルムの状態を示す斜視図である。
【図６】製袋方法に関して、図４（Ｄ）に対応して折曲されたフィルムにより構成される袋構成体と、該袋構成体をサイドシールすることにより形成された袋体を示す斜視図である。
【図７】表示フィルムに商品表示を印刷する工程を示しており、（Ａ）は裏面読取用情報をフィルム表側表面に印刷した状態を示す表面図、（Ｂ）は印刷された裏面読取用情報をフィルム裏側から透視した状態を示す裏面図、（Ｃ）は透視不能層と表面読取用情報をフィルム表側表面に印刷した状態を示す表面図、（Ｄ）はフィルムに対する印刷積層構造を示す縦断面図である。
【図８】本発明の第２実施形態に係る商品包装袋とその製袋方法を示しており、（Ａ）は展開した１枚の帯状フィルムを示す縦断面図、（Ｂ）は表フィルム構成部から裏フィルム構成部を折返した状態を示す縦断面図、（Ｃ）は延長フィルム構成部と共に表示フィルム構成部を折返した状態を示す縦断面図、（Ｄ）はサイドシールにより製袋された袋体を示す縦断面図である。
【図９】本発明の第３実施形態に係る商品包装袋とその製袋方法を示しており、（Ａ）は展開した１枚の帯状フィルムを示す縦断面図、（Ｂ）は表フィルム構成部から裏フィルム構成部を折返した状態を示す縦断面図、（Ｃ）は裏フィルム構成部から表示フィルム構成部を折返した後にサイドシールにより製袋された袋体を示す縦断面図である。
【図１０】本発明の第４実施形態に係る商品包装袋を示しており、（Ａ）は袋体を示す縦断面図、（Ｂ）は袋体から表示フィルムを分離した状態を示す縦断面図である。
【符号の説明】
【００８９】
１  袋体
１ｃ  サイドシール部
２  表フィルム
３  裏フィルム
４  商品収納室
５  底部
６Ａ  開閉口
６Ｂ  商品挿入口
７  延長フィルム
８  可撓性シート
９ａ、９ｂ  溶着
１０  ヘッダー部
１１  チャック手段
１２  被係合テープ
１３  係合テープ
１４、１５  溶着
１６  延長端
１７  スリット
１８  表示フィルム
１８ｂ  延長表示フィルム
１９  第１表示フィルム
２０  第２表示フィルム
２１  溶着阻止剤
２２  第２の溶着阻止剤
２３  一般表示
２４  商品情報
２５  鏡対称文字
２６  裏面読取用情報
２７  透視不能層
２８  文字
２９  表面読取用情報
３０  分離線
１ａ  袋構成体
２ａ  表フィルム構成部
３ａ  裏フィルム構成部
７ａ  延長フィルム構成部
１８ａ  表示フィルム構成部
１９ａ  第１表示フィルム構成部
２０ａ  第２表示フィルム構成部
【図１】
2009062066.tif 000003
【図２】
2009062066.tif 000004
【図３】
2009062066.tif 000005
【図４】
2009062066.tif 000006
【図５】
2009062066.tif 000007
【図６】
2009062066.tif 000008
【図７】
2009062066.tif 000009
【図８】
2009062066.tif 000010
【図９】
2009062066.tif 000011
【図１０】
2009062066.tif 000012